(57)【要約】      （修正有）【課題】底内がフラットで箱体内に装填される袋体の破れを抑制可能な箱用シートを提供する。【解決手段】箱用シートは、底外フラップ３ａ、３ｂの幅方向の両側に、基端側から先端側に向けて幅方向の内側に傾斜して延びる折り曲げ容易線１２ａ、１２ｂが形成され、一方の底外フラップが、基端縁と平行な第１の側縁１３ａと、第１の側縁よりも底外フラップの延出方向先端側に配置され第１の側縁と対向する長さの小さい第２の側縁１３ｂと、第１及び第２の側縁の隣接する端部同士を接続する一対の接続縁１３ｃとによって画定される開口１３を有し、他方の底外フラップが、長さ面パネル１ｂの下縁から延出する本体１１ａと、本体の先端縁から延出し、組立状態で開口に挿入される突片１１ｂとを有し、突片の基端縁の幅が、第１の側縁の長さと等しい。【選択図】図１
0003227127.tif 000002
【実用新案登録請求の範囲】
【請求項１】
左右方向に交互に連接される一対の長さ面パネル及び一対の幅面パネルと、
上記一対の長さ面パネルの下縁から延出する一対の底外フラップと、
上記一対の幅面パネルの下縁から延出する一対の底内フラップと
を備え、箱型に組み立て可能な箱用シートであって、
それぞれの上記底外フラップの幅方向の両側に、基端側から先端側に向けて幅方向の内側に傾斜して延びる折り曲げ容易線が形成されており、
一方の上記底外フラップが、その基端縁と平行な第１の側縁と、この第１の側縁よりも上記底外フラップの延出方向先端側に配置されて上記第１の側縁と対向する第２の側縁と、上記第１の側縁及び上記第２の側縁の隣接する端部同士を接続する一対の接続縁とによって画定される開口を有し、
他方の上記底外フラップが、上記長さ面パネルの下縁から延出する本体と、この本体の先端縁から延出し、組立状態で上記開口に挿入される突片とを有し、
上記突片の基端縁の幅が、上記第１の側縁の長さと等しく、
上記２の側縁の長さが上記第１の側縁の長さよりも小さい箱用シート。
【請求項２】
上記一対の底内フラップの延出方向の合計長さが上記長さ面パネルの左右方向長さと等しく、
上記一対の底外フラップ及び上記一対の底内フラップの隣接する基端側の側縁同士がスリットによって分離されており、かつこのスリットによって分離される側縁よりも先端側の側縁同士が上記スリットよりも幅広の溝によって分離されている請求項１に記載の箱用シート。
【請求項３】
上記一対の長さ面パネルの上縁から延出する一対の蓋形成用フラップと、
上記一対の幅面パネルの上縁から延出する一対の取っ手形成用フラップと
を備え、
隣接する上記蓋形成用フラップ及び上記取っ手形成用フラップの側縁同士が破断容易線によって分離可能に接続されている請求項１又は請求項２に記載の箱用シート。
【請求項４】
上記蓋形成用フラップが、
上記長さ面パネルの上縁から延出し、この長さ面パネルの左右方向長さと同幅の蓋本体と、
上記蓋本体の側縁から側方に延出する接続片と
を有し、
上記接続片が上記取っ手形成用フラップと分離可能に接続されている請求項３に記載の箱用シート。
【請求項５】
一方の上記蓋形成用フラップの上記蓋本体が、先端縁に凹部を有し、
他方の上記蓋形成用フラップの上記蓋本体が、上記凹部に係合する凸部を有する請求項４に記載の箱用シート。
【考案の詳細な説明】
【技術分野】
【０００１】
本考案は、箱用シートに関する。
【背景技術】
【０００２】
医療廃棄物を収容するために、段ボールシートを組み立ててなる箱体が用いられている。この箱体は、ポリエチレン等の合成樹脂を主成分とする袋体を内部に装填したうえで、この袋体内に医療廃棄物を廃棄するのに用いられる。
【０００３】
このような医療廃棄物を収容するための箱体として、互いに対向する一対の側板及び一対の端板を有し、一対の側板の上縁から蓋フラップが延出し、かつ一対の端板の上縁から取手フラップが延出するものが発案されている（実用新案登録第３２２２７３２号公報参照）。
【先行技術文献】
【特許文献】
【０００４】
【特許文献１】実用新案登録第３２２２７３２号公報
【考案の概要】
【考案が解決しようとする課題】
【０００５】
上記公報に記載されている箱体は、作業者が箱体内に指を入れることなく取手フラップに設けられる手穴に手をかけることができるとされている。この箱体は、作業者の指が医療廃棄物に触れて作業者が感染症等に罹患するのを防止できるとされている。
【０００６】
上記公報に記載の箱体は、作業者の指と医療廃棄物との接触を抑制することができる。一方で、医療廃棄物は、箱体の持ち運び時等に、箱体の底部から漏出する場合がある。この漏出は、箱体の底部との擦れによって袋体が破れ、この破れた部分から医療廃棄物がこぼれ出ることで起こり得る。上記公報に記載されている箱体は、一対の側板及び一対の端板の下縁から延出する４つのフラップを組み合わせることで箱体の底部が形成されている。そのため、この箱体は、底部を構成するフラップのエッジと袋体とが干渉しやすい。その結果、この箱体は、内部に配置される袋体の破れを十分に抑制し難い。
【０００７】
本考案は、このような不都合に鑑みてなされたものであり、箱体内に装填される袋体の破れを抑制可能な箱用シートを提供することを目的とする。
【課題を解決するための手段】
【０００８】
上記課題を解決するためになされた本考案の一態様に係る箱用シートは、左右方向に交互に連接される一対の長さ面パネル及び一対の幅面パネルと、上記一対の長さ面パネルの下縁から延出する一対の底外フラップと、上記一対の幅面パネルの下縁から延出する一対の底内フラップとを備え、箱型に組み立て可能な箱用シートであって、それぞれの上記底外フラップの幅方向の両側に、基端側から先端側に向けて幅方向の内側に傾斜して延びる折り曲げ容易線が形成されており、一方の上記底外フラップが、その基端縁と平行な第１の側縁と、この第１の側縁よりも上記底外フラップの延出方向先端側に配置されて上記第１の側縁と対向する第２の側縁と、上記第１の側縁及び上記第２の側縁の隣接する端部同士を接続する一対の接続縁とによって画定される開口を有し、他方の上記底外フラップが、上記長さ面パネルの下縁から延出する本体と、この本体の先端縁から延出し、組立状態で上記開口に挿入される突片とを有し、上記突片の基端縁の幅が、上記第１の側縁の長さと等しく、上記２の側縁の長さが上記第１の側縁の長さよりも小さい。
【考案の効果】
【０００９】
本考案の一態様に係る箱用シートは、箱体内に装填される袋体の破れを抑制することができる。
【図面の簡単な説明】
【００１０】
【図１】図１は、本考案の一実施形態に係る箱用シートを示す模式的平面図である。
【図２】図２は、図１の箱用シートを組み立ててなる箱体の蓋部を開いている状態を示す模式的斜視図である。
【図３】図３は、図１の箱用シートを組み立ててなる箱体の蓋部を閉じた状態を示す模式的斜視図である。
【図４】図４は、図２の箱体の底部を組み立てる途中の状態を示す底面図である。
【図５】図５は、図２の箱体の底部を組み立てた状態の底面図である。
【図６】図６は、図２の箱体の底部を組み立てた状態の平面図である。
【考案を実施するための形態】
【００１１】
［本考案の実施形態の説明］
最初に本考案の実施態様を列記して説明する。
【００１２】
本考案の一態様に係る箱用シートは、左右方向に交互に連接される一対の長さ面パネル及び一対の幅面パネルと、上記一対の長さ面パネルの下縁から延出する一対の底外フラップと、上記一対の幅面パネルの下縁から延出する一対の底内フラップとを備え、箱型に組み立て可能な箱用シートであって、それぞれの上記底外フラップの幅方向の両側に、基端側から先端側に向けて幅方向の内側に傾斜して延びる折り曲げ容易線が形成されており、一方の上記底外フラップが、その基端縁と平行な第１の側縁と、この第１の側縁よりも上記底外フラップの延出方向先端側に配置されて上記第１の側縁と対向する第２の側縁と、上記第１の側縁及び上記第２の側縁の隣接する端部同士を接続する一対の接続縁とによって画定される開口を有し、他方の上記底外フラップが、上記長さ面パネルの下縁から延出する本体と、この本体の先端縁から延出し、組立状態で上記開口に挿入される突片とを有し、上記突片の基端縁の幅が、上記第１の側縁の長さと等しく、上記２の側縁の長さが上記第１の側縁の長さよりも小さい。
【００１３】
当該箱用シートは、上記一対の長さ面パネル及び上記一対の幅面パネルを四角筒状に組み立てたうえで、上記一方の底外フラップを内側に折り曲げ、さらに上記他方の底外フラップを上記一方の底外フラップを外側から押し込むように内側に折り曲げていくことで箱体の底部を組み立てることができる。当該箱用シートは、上記一方の底外フラップに設けられる開口に上記他方の底外フラップの突片を挿入することで、上記一対の底外フラップ同士を接続することができる。医療現場では封函テープ等の使用は好まれない一方、当該箱用シートは、封函テープを用いなくても箱体の底部を容易に組み立てることができる。当該箱用シートは、上記一対の底外フラップ同士を接続することができるので、上記一対の底外フラップ上に上記一対の底内フラップをフラットな状態で配置することができる。従って、当該箱用シートは、箱体の底部とこの箱体内に装填される袋体との干渉に起因する上記袋体の破れを抑制することができる。
【００１４】
上記一対の底内フラップの延出方向の合計長さが上記長さ面パネルの左右方向長さと等しく、上記一対の底外フラップ及び上記一対の底内フラップの隣接する基端側の側縁同士がスリットによって分離されており、かつこのスリットによって分離される側縁よりも先端側の側縁同士が上記スリットよりも幅広の溝によって分離されているとよい。このように、上記一対の底内フラップの延出方向の合計長さが上記長さ面パネルの左右方向長さと等しいことで、箱体の底部において上記一対の底内フラップの先端縁同士が突き合わされた状態で保持される。その結果、上記一対の底内フラップのエッジと袋体との干渉を容易かつ確実に抑制することができる。また、上記一対の底外フラップ及び上記一対の底内フラップの隣接する基端側の側縁同士がスリットによって分離されていることによって、箱体の底部の４隅に隙間ができるのを防ぐことができ、この隙間から収容物が漏出することを抑制することができる。
【００１５】
上記一対の長さ面パネルの上縁から延出する一対の蓋形成用フラップと、上記一対の幅面パネルの上縁から延出する一対の取っ手形成用フラップとを備え、隣接する上記蓋形成用フラップ及び上記取っ手形成用フラップの側縁同士が破断容易線によって分離可能に接続されているとよい。このように、上記一対の長さ面パネルの上縁から延出する一対の蓋形成用フラップと、上記一対の幅面パネルの上縁から延出する一対の取っ手形成用フラップとを備え、隣接する上記蓋形成用フラップ及び上記取っ手形成用フラップの側縁同士が破断容易線によって分離可能に接続されていることによって、例えば医療廃棄物を箱体内に廃棄する際には、上記一対の蓋形成用フラップ及び上記一対の取っ手形成用フラップを接続した状態で保持することができる。具体的には、上記一対の蓋形成用フラップと上記一対の取っ手形成用フラップとが接続され、かつ上記蓋形成用フラップが上記長さ面パネルの外面側に折り返され、上記取っ手形成用フラップが上記幅面パネルの外面側に折り返された状態で保持することができる。これにより、医療廃棄物等の廃棄時における医療廃棄物等と上記一対の蓋形成用フラップ及び上記一対の取っ手形成用フラップとの接触を避けつつ、箱体の持ち運び時には上記一対の蓋形成用フラップと上記一対の取っ手形成用フラップとの接続を解除して、箱体の蓋部及び取っ手部を容易に形成することができる。
【００１６】
上記蓋形成用フラップが、上記長さ面パネルの上縁から延出し、この長さ面パネルの左右方向長さと同幅の蓋本体と、上記蓋本体の側縁から側方に延出する接続片とを有し、上記接続片が上記取っ手形成用フラップと分離可能に接続されているとよい。このように、上記蓋形成用フラップが、上記長さ面パネルの上縁から延出し、この長さ面パネルの左右方向長さと同幅の蓋本体と、上記蓋本体の側縁から側方に延出する接続片とを有することによって、箱体の蓋部を形成する際に上記接続片を上記蓋本体の下方に折り込んでおくことで、上記接続片と上記一対の幅面パネルとの干渉を利用して上記一対の蓋形成用フラップの蓋本体同士を水平に保ちやすい。これにより、例えば複数の箱体を段積みする際に、これらの箱体を安定的に保持しやすい。
【００１７】
一方の上記蓋形成用フラップの上記蓋本体が、先端縁に凹部を有し、他方の上記蓋形成用フラップの上記蓋本体が、上記凹部に係合する凸部を有するとよい。このように、一方の上記蓋形成用フラップの上記蓋本体が、先端縁に凹部を有し、他方の上記蓋形成用フラップの上記蓋本体が、上記凹部に係合する凸部を有することによって、上記一対の蓋形成用フラップの蓋本体同士を、封函テープを用いずに、容易に接続することができる。
【００１８】
なお、本考案において、「左右方向」とは、箱用シートを組み立ててなる箱体の想定される一般的な使用態様における水平方向を意味する。また、「上」及び「下」とは、箱用シートを組み立ててなる箱体の想定される一般的な使用態様における上下を意味する。「突片の基端縁の幅が、第１の側縁の長さと等しい」とは、第１の側縁の長さと突片の基端縁の幅との差が５ｍｍ以下であることをいい、好ましくは３ｍｍ以下、より好ましくは０ｍｍであることを意味する。
【００１９】
［本考案の実施形態の詳細］
以下、適宜図面を参照しつつ、本考案の実施の形態を詳説する。
【００２０】
［箱用シート］
図１の箱用シート１０は１枚のシート材から構成される。当該箱用シート１０は、左右方向に交互に連接される一対の長さ面パネル１ａ、１ｂ及び一対の幅面パネル２ａ、２
ｂと、一対の長さ面パネル１ａ、１ｂの下縁から延出する一対の底外フラップ（第１底外フラップ３ａ及び第２底外フラップ３ｂ）と、一対の幅面パネル２ａ、２ｂの下縁から延出する一対の底内フラップ（第１底内フラップ４ａ及び第２底内フラップ４ｂ）とを備える。当該箱用シート１０は、一対の長さ面パネル１ａ、１ｂの上縁から延出する一対の蓋形成用フラップ（第１蓋形成用フラップ５ａ及び第２蓋形成用フラップ５ｂ）と、一対の幅面パネル２ａ、２ｂの上縁から延出する一対の取っ手形成用フラップ（第１取っ手形成用フラップ６ａ及び第２取っ手形成用フラップ６ｂ）とを備える。また、当該箱用シート１０は、左右方向外側（本実施形態では左右方向左側）に位置する長さ面パネル１ａの左右方向外側の側縁から延出する糊代７を備える。当該箱用シート１０は、箱型に組み立て可能であり、具体的には図２及び図３の箱体２０に組み立てられる。当該箱用シート１０は、図２の状態に組み立てられ、この状態で医療廃棄物を収容可能な容器として用いられる。具体的には、図２の箱体２０は、内部に袋体（不図示）が装填され、この袋体内に医療廃棄物が廃棄される。次に、当該箱用シート１０は、図２の状態から図３の状態に組み立てられる。当該箱用シート１０は、図３の状態で、持ち運ばれ、所定の場所に廃棄又は保管される。なお、図１において、太い実線はシートを切断して形成される切断線を示し、細い実線はシートの片面を筋押しして形成される罫線を示す。
【００２１】
当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（長さ面パネル）
一対の長さ面パネル１ａ、１ｂは、矩形状かつ略同一形状に形成されている。長さ面パネル１ａ、１ｂの左右方向長さは幅面パネル２ａ、２ｂの左右方向長さよりも大きい。上述のように、当該箱用シート１０は、医療廃棄物を廃棄するための箱体２０に組み立てられる。この医療廃棄物は、箱体２０内に確実に保持されることが望まれる。そのため、長さ面パネル１ａ、１ｂには、医療廃棄物が通過するおそれのある開口は設けられていない。
【００２３】
長さ面パネル１ａ、１ｂの左右方向長さとしては、箱体２０に求められる容量等に基づいて適宜設定可能であるが、例えば２０ｃｍ以上５０ｃｍ以下とすることができる。長さ面パネル１ａ、１ｂの上下方向長さとしては、箱体２０に求められる容量等に基づいて適宜設定可能であるが、例えば２０ｃｍ以上５０ｃｍ以下とすることができる。
【００２４】
（幅面パネル）
一対の幅面パネル２ａ、２ｂは矩形状かつ略同一形状に形成されている。幅面パネル２ａ、２ｂには、医療廃棄物が通過するおそれのある開口は設けられていない。幅面パネル２ａ、２ｂの上下方向長さとしては、長さ面パネル１ａ、１ｂの上下方向長さと同じとすることができる。幅面パネル２ａ、２ｂの左右方向長さとしては、箱体２０に求められる容量等に基づいて適宜設定可能であるが、例えば１５ｃｍ以上４０ｃｍ以下とすることができる。
【００２５】
（底外フラップ）
第１底外フラップ３ａは略矩形状である。第２底外フラップ３ｂは、長さ面パネル１ｂの下縁から延出する略矩形状の本体１１ａと、本体１１ａの先端縁から延出する突片１１ｂとを有する。
【００２６】
第１底外フラップ３ａ及び第２底外フラップ３ｂ（より詳しくは、第１底外フラップ３ａと第２底外フラップ３ｂの本体１１ａ）の幅方向の両側には、基端側から先端側に向けて幅方向の内側に傾斜して延びる折り曲げ容易線１２ａ、１２ｂが形成されている。折り曲げ容易線１２ａ、１２ｂは直線状である。折り曲げ容易線１２ａ、１２ｂは、第１底外フラップ３ａ及び第２底外フラップ３ｂの先端縁から、第１底外フラップ３ａ及び第２底外フラップ３ｂの基端縁の端部に向けて延びている。
【００２７】
第１底外フラップ３ａは、その基端縁と平行な第１の側縁１３ａと、第１の側縁１３ａよりも第１底外フラップ３ａの延出方向先端側に配置されて第１の側縁１３ａと対向する第２の側縁１３ｂと、第１の側縁１３ａ及び第２の側縁１３ｂの隣接する端部同士を接続する一対の接続縁１３ｃとによって画定される開口１３を有する。より詳しくは、第１底外フラップ３ａは、第２の側縁１３ｂに部分的に接続され、第２の側縁１３ｂのその他の部分、第１の側縁１３ａ及び一対の接続縁１３ｃとの境界線で切断された折り込み片１４を有しており、開口１３の外縁はこの折り込み片１４の外縁に対応している。
【００２８】
第１の側縁１３ａの長さＬは突片１１ｂの基端縁の幅Ｄと等しい。第２の側縁１３ｂは直線状である。第２の側縁１３ｂの長さは第１の側縁１３ａの長さよりも小さい。第１の側縁１３ａ及び第２の側縁１３ｂの中心は、いずれも第１底外フラップ３ａの幅方向の中央に位置している。一対の接続縁１３ｃ同士の間隔は、第１の側縁１３ａ側から第２の側縁１３ｂ側に向けて漸減している。一対の接続縁１３ｃは例えば円弧状である。第１底外フラップ３ａの基端縁から第１の側縁１３ａまでの延出方向長さと第２底外フラップ３ｂの本体１１ａの延出方向との合計長さは、幅面パネル２ａ、２ｂの左右方向長さと等しい。
【００２９】
突片１１ｂは、組立状態で開口１３に挿入される。突片１１ｂは、先端縁の両側が面取りされた略矩形状である。
【００３０】
（底内フラップ）
第１底内フラップ４ａ及び第２底内フラップ４ｂは略同一形状に形成される。第１底内フラップ４ａ及び第２底内フラップ４ｂは略矩形状である。第１底内フラップ４ａ及び第２底内フラップ４ｂの延出方向の合計長さは長さ面パネル１ａ、１ｂの左右方向長さと等しい。換言すると、第１底内フラップ４ａ及び第２底内フラップ４ｂは、箱体２０に組み立てられた状態で先端縁同士が突き合わされる。
【００３１】
一対の底外フラップ（第１底外フラップ３ａ及び第２底外フラップ３ｂ）並びに一対の底内フラップ（第１底内フラップ４ａ及び第２底内フラップ４ｂ）の隣接する基端側の側縁同士はスリットによって分離されている。また、一対の底外フラップ３ａ、３ｂ及び一対の底内フラップ４ａ、４ｂの上記スリットによって分離される側縁よりも先端側の側縁同士は上記スリットよりも幅広の溝によって分離されている。すわなち、底外フラップ３ａ、３ｂの底内フラップ４ａ、４ｂと隣接する側縁の基端部は底内フラップ４ａ、４ｂ側に突出しており、底内フラップ４ａ、４ｂの底外フラップ３ａ、３ｂと隣接する側縁の基端部は底外フラップ３ａ、３ｂ側に突出している。
【００３２】
〔底部の組立手順〕
図４〜図６を参照して箱体２０の底部を組み立てる手順について説明する。まず、箱体２０を組み立てるにあたっては、一対の蓋形成用フラップ５ａ、５ｂ及び一対の取っ手形成用フラップ６ａ、６ｂを一対の長さ面パネル１ａ、１ｂ及び一対の幅面パネル２ａ、２ｂの外面側（箱体２０に組み立てられた状態における外面側）に折り返しておく。
【００３３】
この状態で、左右方向外側（本実施形態では左右方向左側）に位置する長さ面パネル１ａをこの長さ面パネル１ａに連接される幅面パネル２ａの内面に折り重ね、左右方向外側（本実施形態では左右方向右側）に位置する幅面パネル２ｂをこの幅面パネル２ｂに連接される長さ面パネル１ｂの内面に折り重ね、糊代７を折り重ねられた幅面パネル２ｂの内面に貼着する。さらに、一対の長さ面パネル１ａ、１ｂ及び一対の幅面パネル２ａ、２ｂを四角筒状に広げる。
【００３４】
次に、一対の底内フラップ４ａ、４ｂを内側に略垂直に折り曲げる。続いて、第１底外フラップ３ａを内側に略垂直に折り曲げ、さらに第２底外フラップ３ｂを第１底外フラップ３ａの外面側に折り曲げる。そして、図４に示すように、第２底外フラップ３ｂを第１底外フラップ３ａの外面に押し当てた状態で押し込んでいく。この際、第１底外フラップ３ａに設けられた一対の折り曲げ容易線１２ａ及び第２底外フラップ３ｂに設けられた一対の折り曲げ容易線１２ｂが適度に折れ曲がることで第２底外フラップ３ｂを容易に押し込むことができる。第２底外フラップ３ｂの突片１１ｂの先端縁が第１底外フラップ３ａの第１の側縁１３ａを通過するまで押し込んだ後、第２底外フラップ３ｂの押し込みを解除する。これによってシート材の反力により第１底外フラップ３ａ及び第２底外フラップ３ｂが押し戻され、この過程で突片１１ｂが開口１３に挿入される。その結果、図５に示すように、第１底外フラップ３ａと第２底外フラップ３ｂとが互いに接続される。これにより、箱体２０の底部が組み立てられ、図２の箱体２０が得られる。
【００３５】
当該箱用シート１０は、突片１１ｂが略矩形状であり、突片１１ｂの基端縁の幅が第１の側縁１３ａの長さと等しいので、突片１１ｂを開口１３に挿入することで、第１底外フラップ３ａと第２底外フラップ３ｂとを安定的に接続することができる。
【００３６】
当該箱用シート１０は、突片１１ｂの基端縁の幅が第１の側縁１３ａの長さと等しく、第２の側縁１３ｂの長さが第１の側縁１３ａの長さより小さいので、突片１１ｂがシート材の反力によって第１の側縁１３ａに沿って開口１３内に挿入されていくと共に、この挿入された状態で安定的に保持される。そのため、当該箱用シート１０は、開口１３に挿入された状態で突片１１ｂを安定的に保持できると共に、突片１１ｂの開口１３からの抜けを防止しやすい。
【００３７】
当該箱用シート１０は、一対の底内フラップ４ａ、４ｂの延出方向の合計長さが長さ面パネル１ａ、１ｂの左右方向長さと等しいので、図６に示すように、箱体２０に組み立てられた状態で一対の底内フラップ４ａ、４ｂの先端縁同士が突き合わされ、箱体２０の底部の内面がフラットに保たれる。その結果、当該箱用シート１０は、一対の底内フラップ４ａ、４ｂのエッジと、箱体２０内に配置される袋体との干渉を容易かつ確実に抑制することができる。また、当該箱用シート１０は、底外フラップ３ａ、３ｂの基端側の側縁及び底内フラップ４ａ、４ｂの基端側の側縁が側方に突出しているので、箱体２０の底部の４隅に隙間が生じ難い。その結果、当該箱用シート１０は、この隙間から収容物が漏出することを抑制することができる。
【００３８】
（蓋形成用フラップ）
第１蓋形成用フラップ５ａ及び第２蓋形成用フラップ５ｂは、隣接する取っ手形成用フラップ６ａ、６ｂと破断容易線１５によって分離可能に接続されている。当該箱用シート１０は、隣接する蓋形成用フラップ５ａ、５ｂ及び取っ手形成用フラップ６ａ、６ｂの側縁同士が破断容易線１５によって分離可能に接続されていることによって、医療廃棄物を箱体２０内に廃棄する際には、一対の蓋形成用フラップ５ａ、５ｂ及び一対の取っ手形成用フラップ６ａ、６ｂを接続した状態で保持することができる。具体的には、図２に示すように、一対の蓋形成用フラップ５ａ、５ｂと一対の取っ手形成用フラップ６ａ、６ｂとが接続され、かつ蓋形成用フラップ５ａ、５ｂが長さ面パネル１ａ、１ｂの外面側に折り返され、取っ手形成用フラップ６ａ、６ｂが幅面パネル２ａ、２ｂの外面側に折り返された状態で保持することができる。これにより、医療廃棄物等の廃棄時における医療廃棄物等と一対の蓋形成用フラップ５ａ、５ｂ及び一対の取っ手形成用フラップ６ａ、６ｂとの接触を避けつつ、箱体２０の持ち運び時には一対の蓋形成用フラップ５ａ、５ｂと一対の取っ手形成用フラップ６ａ、６ｂとの接続を解除して、箱体２０の蓋部５及び取っ手部６を容易に形成することができる。
【００３９】
第１蓋形成用フラップ５ａ及び第２蓋形成用フラップ５ｂは、長さ面パネル１ａ、１ｂの上縁から延出し、長さ面パネル１ａ、１ｂの左右方向長さと同幅の蓋本体１６ａ、１６ｂと、蓋本体１６ａ、１６ｂの側縁から側方に延出する接続片１７ａ、１７ｂとを有する。当該箱用シート１０は、接続片１７ａ、１７ｂと取っ手形成用フラップ６ａ、６ｂとが分離可能に接続されている。
【００４０】
図３に示すように、接続片１７ａ、１７ｂは、箱体２０に組み立てられた状態で、幅面パネル２ａ、２ｂの内面側に折り込まれる。接続片１７ａ、１７ｂは、幅面パネル２ａ、２ｂの内面側に折り込まれた状態で、長さ面パネル１ａ、１ｂの内面に当接する直線部１７ｃを有する。図１に示すように、直線部１７ｃは、蓋本体１６ａ、１６ｂの基端縁の延長線上に延びている。当該箱用シート１０は、第１蓋形成用フラップ５ａ及び第２蓋形成用フラップ５ｂが、蓋本体１６ａ、１６ｂと接続片１７ａ、１７ｂとを有することによって、箱体２０に組み立てられた状態で、接続片１７ａ、１７ｂと一対の幅面パネル２ａ、２ｂとが干渉する。また、当該箱用シート１０は、接続片１７ａ、１７ｂが直線部１７ｃを有することで、直線部１７ｃが長さ面パネル１ａ、１ｂの内面に当接する。そのため、当該箱用シート１０は、蓋本体１６ａ、１６ｂの箱体２０内側への落ち込みを抑制でき、一対の蓋本体１６ａ、１６ｂ同士を水平に保ちやすい。これにより、例えば複数の箱体２０を段積みする際に、これらの箱体２０を安定的に保持しやすい。
【００４１】
一対の蓋本体１６ａ、１６ｂは略矩形状に形成されている。一対の蓋本体１６ａ、１６ｂの延出方向の合計長さは、幅面パネル２ａ、２ｂの左右方向長さよりも長い。一方の蓋本体（本実施形態では、第１蓋形成用フラップ５ａの蓋本体１６ａ）は先端縁に凹部１８ａを有する。他方の蓋本体（本実施形態では、第２蓋形成用フラップ５ｂの蓋本体１６ｂ）は凹部１８ａに係合する凸部１８ｂを有する。当該箱用シート１０は、一方の蓋本体１６ａが凹部１８ａを有し、他方の蓋本体１６ｂが凸部１８ｂを有することで、一対の蓋本体１６ａ、１６ｂ同士を、封函テープを用いずに、容易に接続することができる。
【００４２】
（取っ手形成用フラップ）
一対の取っ手形成用フラップ６ａ、６ｂは同一形状に形成されている。図３に示すように、取っ手形成用フラップ６ａ、６ｂは、箱体２０の取っ手部６に組み立てられる。取っ手形成用フラップ６ａ、６ｂは、箱体２０に組み立てられた状態で幅面パネル２ａ、２ｂの上縁から上方に突出する第１部分１９ａと、第１部分１９ａの外面側に折り返される第２部分１９ｂとを有する。第１部分１９ａには、箱体２０の持ち運び時に作業者が指を挿入する手掛け穴２１ａが設けられている。第２部分１９ｂには、第１部分１９ａの外面に折り重ねられた状態で、手掛け穴２１ａと重なり合う折り込み片２１ｂが設けられている。当該箱用シート１０は、折り込み片２１ｂを第１部分１９ａ側に折り込み、折り込み片２１ｂを手掛け穴２１ａに係止することで、第１部分１９ａと第２部分１９ｂとを接続できると共に、手掛け穴２１ａを露出させることで、容易に取っ手部６を形成することができる。当該箱用シート１０は、取っ手部６が幅面パネル２ａ、２ｂの上縁から蓋部５の上方に突出するので、取っ手部６の形成時や箱体２０の持ち運び時に作業者の手指が医療廃棄物に接触することを抑制することができる。
【００４３】
＜利点＞
当該箱用シート１０は、第１底外フラップ３ａに設けられる開口１３に第２底外フラップ３ｂの突片１１ｂを挿入することで、第１底外フラップ３ａと第２底外フラップ３ｂとを接続することができる。医療現場では封函テープ等の使用は好まれない一方、当該箱用シート１０は、封函テープを用いなくても箱体２０の底部を容易に組み立てることができる。当該箱用シート１０は、一対の底外フラップ３ａ、３ｂ同士を接続することができるので、これらの底外フラップ３ａ、３ｂ上に一対の底内フラップ４ａ、４ｂをフラットな状態で配置することができる。従って、当該箱用シート１０は、箱体２０の底部とこの箱体２０内に装填される袋体との干渉に起因する上記袋体の破れを抑制することができる。
【００４４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４５】
例えば当該箱用シートは、医療廃棄物を廃棄するための容器以外の用途で使用されてもよい。
【００４６】
上記蓋形成用フラップ及び上記取っ手形成用フラップの具体的な形状は上述の実施形態に記載の構成に限定されるものではない。例えば箱体の蓋部は、封函テープを用いて封止されるものであってもよい。また、上記蓋形成用フラップと上記取っ手形成用フラップとは、最初から分離されていてもよい。
【００４７】
上記一対の底内フラップの延出方向の合計長さは、長さ面パネルの左右方向長さと等しくなくてもよい。当該箱用シートは、組立状態で一対の底内フラップの上面に中敷き板等を配置することで箱体の底部の上面をフラットにすることも可能である。但し、部品点数の増加を抑える観点等から、上記一対の底内フラップの延出方向の合計長さは、長さ面パネルの左右方向長さと等しいことが好ましい。
【００４８】
当該箱用シートは、箱体内からの収容物の漏れを十分に抑制できる場合であれば、上記一対の底外フラップ及び上記一対の底内フラップの基端側の側縁が側方に突出していなくてもよい。
【産業上の利用可能性】
【００４９】
以上のように、本考案の一態様に係る箱用シートは、医療廃棄物を収容するのに適している。
【符号の説明】
【００５０】
１ａ、１ｂ  長さ面パネル
２ａ、２ｂ  幅面パネル
３ａ  第１底外フラップ
３ｂ  第２底外フラップ
４ａ  第１底内フラップ
４ｂ  第２底内フラップ
５  蓋部
５ａ  第１蓋形成用フラップ
５ｂ  第２蓋形成用フラップ
６  取っ手部
６ａ  第１取っ手形成用フラップ
６ｂ  第２取っ手形成用フラップ
７  糊代
１０  箱用シート
１１ａ  本体
１１ｂ  突片
１２ａ、１２ｂ  折り曲げ容易線
１３  開口
１３ａ  第１の側縁
１３ｂ  第２の側縁
１３ｃ  接続縁
１４  折り込み片
１５  破断容易線
１６ａ、１６ｂ  蓋本体
１７ａ、１７ｂ  接続片
１７ｃ  直線部
１８ａ  凹部
１８ｂ  凸部
１９ａ  第１部分
１９ｂ  第２部分
２０  箱体
２１ａ  手掛け穴
２１ｂ  折り込み片
Ｄ  突片の基端縁の幅
Ｌ  第１の側縁の長さ
【図１】
0003227127.tif 000003
【図２】
0003227127.tif 000004
【図３】
0003227127.tif 000005
【図４】
0003227127.tif 000006
【図５】
0003227127.tif 000007
【図６】
0003227127.tif 000008